(57)【要約】  【課題】  ２種類の記録媒体の全体を筺体内に収納することができ、しかも、いずれの記録媒体でも筺体の挿抜口から挿抜することができる記録媒体受入装置を提供する。  【解決手段】  大形の記録媒体１ａが載置される載置面２１と、該載置面２１の筺体３内のコネクタ４に臨む側で小形の記録媒体が収納載置される凹部２２と、該凹部２２に対して出退移動が可能であり、且つ進出移動により大形の記録媒体１ａの一部を支持する支持体７，７とを有するトレイ２を、筺体３の挿抜口に挿抜可能に装着し、筺体３内には、載置面２１に載置される大形の記録媒体１ａに応じた第１位置、及び前記凹部２２に収納載置される小形の記録媒体に応じた第２位置にコネクタ４，４を設けた。【選択図】      図７
2006268973.tif 000002
【特許請求の範囲】
【請求項１】
周縁の一部に接続端子を有し、平面視で大きさが相違する２種類の記録媒体が挿抜される挿抜口と、該挿抜口からその内部に挿入された前記記録媒体を受入れる空洞及び該空洞内に配置され、前記接続端子に接続されるコネクタとを有する筺体を備える記録媒体受入装置において、
大形の記録媒体が載置される載置面と、該載置面の前記コネクタに臨む側で小形の記録媒体が収納載置される凹部と、該凹部に対して出退移動が可能であり、且つ進出移動により前記大形の記録媒体の一部を支持する支持体とを有し、前記挿抜口に挿抜可能に挿入されるトレイを備えており、
前記コネクタは、前記載置面に載置される大形の記録媒体に応じた第１位置と、前記凹部に収納載置される小形の記録媒体に応じた第２位置とに配置されていることを特徴とする記録媒体受入装置。
【請求項２】
周縁の一部に接続端子を有し、平面視で大きさが相違する２種類の記録媒体が挿抜される挿抜口と、該挿抜口からその内部に挿入された前記記録媒体を受入れる空洞及び該空洞内に配置され、前記接続端子に接続されるコネクタとを有する筺体を備える記録媒体受入装置において、
大形の記録媒体が載置される載置面と、該載置面の前記コネクタに臨む側で小形の記録媒体が収納載置される凹部と、該凹部に対して出退移動が可能であり、且つ進出移動により前記大形の記録媒体の一部を支持する支持体とを有し、前記挿抜口に挿抜可能に挿入されるトレイと、
前記記録媒体が前記載置面又は前記凹部のいずれに載置されるかの検出を行う検出手段と、該検出手段の検出結果に応じて、前記コネクタを前記載置面に載置される大形の記録媒体に応じた第１位置又は前記凹部に収納載置される小形の記録媒体に応じた第２位置に選択的に移動させる移動手段と
を備えることを特徴とする記録媒体受入装置。
【請求項３】
前記支持体は、付勢ばねにより前記凹部内へ進出する進出位置及び前記凹部に収納載置される小形の記録媒体に当接して前記凹部から退出する退出位置へ移動が可能である請求項１又は２記載の記録媒体受入装置。
【請求項４】
前記検出手段は前記支持体の進出位置への移動及び退出位置への移動を検出するセンサである請求項２又は３記載の記録媒体受入装置。
【発明の詳細な説明】
【技術分野】
【０００１】
本発明は平面視で大きさが相違する２種類の記録媒体が挿抜される記録媒体受入装置に関する。
【背景技術】
【０００２】
図２６は従来の記録媒体の構成を示しており、(a) は大形の記録媒体の正面図、(b) は大形の記録媒体の一部を破断した側面図、(c) は大形の記録媒体の底面図、(d) は小形の記録媒体の正面図、(e) は小形の記録媒体の一部を破断した側面図、(f) は小形の記録媒体の底面図である。
【０００３】
カセット状の記録媒体は、その一側に接続端子を有する板状の直方体をなしており、平面視で幅Ｗが等しく、長さL1，L2及び厚さH1，H2が相違する２種類がある。記録媒体受入装置は、前記２種類の記録媒体が挿抜される挿抜口と、該挿抜口からその内部に挿入された記録媒体を受入れる空洞及び該空洞内に配置され、前記接続端子に接続されるコネクタとを有する筺体を備える（例えば、非特許文献１参照。）。この筺体は小形及び大形の記録媒体の両方を挿抜口へ挿入できるようにしてある。但し、大形の記録媒体を前記挿抜口に挿入した場合、小形の記録媒体を挿入したときに比べて挿抜口からの突出代が大きくなる。
【非特許文献１】”ｉＶＤＲ規格  ＵＳＢ2.0 ／ 1.1 対応アダプター”［online］、平成１７年３月１６日、株式会社アイ・オー・データ機器、［平成１７年３月１６日検索］、インターネット〈ＵＲＬ：http://www.iodata.jp/prod/storage/hdd/2004/usb2-ivdr/index.htm〉
【発明の開示】
【発明が解決しようとする課題】
【０００４】
ところが、非特許文献１にあっては、大形の記録媒体が受入れられる場合、該大形の記録媒体の収まりが悪く、大形の記録媒体が他物と接触して損傷し易いし、また、視感が悪く、改善策が要望されていた。また、トレイタイプで寸法の異なる２種類の記録媒体を収納できるものが要望されていた。
【０００５】
本発明は斯かる事情に鑑みてなされたものであり、主たる目的は２種類の記録媒体が収納載置され、且つ筺体の挿抜口に挿抜可能に挿入されるトレイを備え、さらに、筺体内の２種類の記録媒体に応じた第１位置及び第２位置にコネクタを設けることにより、２種類の記録媒体の全体を筺体内に収納することができ、しかも、いずれの記録媒体でも筺体の挿抜口から挿抜することができる記録媒体受入装置を提供することにある。
【０００６】
また、他の目的は２種類の記録媒体が収納載置され、且つ筺体の挿抜口に挿抜可能に挿入されるトレイを備え、さらに、いずれの記録媒体が載置されるかの検出を行う検出手段と、該検出手段の検出に応じて、コネクタを大形の記録媒体に応じた第１位置又は小形の記録媒体に応じた第２位置に選択的に移動させる移動手段とを設けることにより、一つのコネクタに２種類の記録媒体を選択して受入れることができ、全体を小形化、軽量化できる記録媒体受入装置を提供することにある。
【０００７】
また、他の目的はトレイの載置面の一側に設けた凹部内へ進出する進出位置及び凹部に収納載置される小形の記録媒体に当接して前記凹部から退出する退出位置へ移動が可能な支持体を設けることにより、大形の記録媒体を載置面と支持体とで安定性よく支持することができる割に全体をより一層小形化、軽量化できる記録媒体受入装置を提供することにある。
【０００８】
また、他の目的はトレイの凹部内で大形の記録媒体の一部を支持する支持体の進出位置への移動及び退出位置への移動を検出するセンサを設けることにより、小形及び大形の記録媒体を間違えることなくコネクタに接続することができる記録媒体受入装置を提供することにある。
【課題を解決するための手段】
【０００９】
本発明に係る記録媒体受入装置は、周縁の一部に接続端子を有し、平面視で大きさが相違する２種類の記録媒体が挿抜される挿抜口と、該挿抜口からその内部に挿入された前記記録媒体を受入れる空洞及び該空洞内に配置され、前記接続端子に接続されるコネクタとを有する筺体を備える記録媒体受入装置において、大形の記録媒体が載置される載置面と、該載置面の前記コネクタに臨む側で小形の記録媒体が収納載置される凹部と、該凹部に対して出退移動が可能であり、且つ進出移動により前記大形の記録媒体の一部を支持する支持体とを有し、前記挿抜口に挿抜可能に挿入されるトレイを備えており、前記コネクタは、前記載置面に載置される大形の記録媒体に応じた第１位置と、前記凹部に収納載置される小形の記録媒体に応じた第２位置とに配置されていることを特徴とする。
【００１０】
この発明にあっては、トレイの載置面に大形の記録媒体を載置することができ、凹部に小形の記録媒体を収納載置することができ、しかも、トレイを筺体の挿抜口から挿抜することができるため、２種類の記録媒体の全体を筺体内に収納することができ、また、いずれの記録媒体でも筺体の挿抜口から挿抜することができる。また、載置面と支持体とにより大形の記録媒体を安定性よく支持することができる。
【００１１】
また、本発明に係る記録媒体受入装置は、周縁の一部に接続端子を有し、平面視で大きさが相違する２種類の記録媒体が挿抜される挿抜口と、該挿抜口からその内部に挿入された前記記録媒体を受入れる空洞及び該空洞内に配置され、前記接続端子に接続されるコネクタとを有する筺体を備える記録媒体受入装置において、大形の記録媒体が載置される載置面と、該載置面の前記コネクタに臨む側で小形の記録媒体が収納載置される凹部と、該凹部に対して出退移動が可能であり、且つ進出移動により前記大形の記録媒体の一部を支持する支持体とを有し、前記挿抜口に挿抜可能に挿入されるトレイと、前記記録媒体が前記載置面又は前記凹部のいずれに載置されるかの検出を行う検出手段と、該検出手段の検出結果に応じて、前記コネクタを前記載置面に載置される大形の記録媒体に応じた第１位置又は前記凹部に収納載置される小形の記録媒体に応じた第２位置に選択的に移動させる移動手段とを備えることを特徴とする。
【００１２】
この発明にあっては、トレイの載置面に大形の記録媒体を載置することができ、凹部に小形の記録媒体を収納載置することができ、しかも、トレイを筺体の挿抜口から挿抜することができるため、２種類の記録媒体の全体を筺体内に収納することができ、また、いずれの記録媒体でも筺体の挿抜口から挿抜することができる。また、載置面と支持体とにより大形の記録媒体を安定性よく支持することができる。また、一つのコネクタに２種類の記録媒体を選択して使用することができ、全体を小形化、軽量化できる。
【００１３】
また、本発明に係る記録媒体受入装置は、前記支持体は、付勢ばねにより前記凹部内へ進出する進出位置及び前記凹部に収納載置される小形の記録媒体に当接して前記凹部から退出する退出位置へ移動が可能であることを特徴とする。
【００１４】
この発明にあっては、小形の記録媒体を凹部に収納載置することにより支持体が退出し、小形の記録媒体を凹部から取出すことにより支持体が付勢ばねの付勢力により進出するため、支持体を備える割に筺体を小形化、ひいては記録媒体受入装置をより一層小形化、軽量化できる。
【００１５】
また、本発明に係る記録媒体受入装置は、前記検出手段は前記支持体の進出位置への移動及び退出位置への移動を検出するセンサであることを特徴とする。
【００１６】
この発明にあっては、小形の記録媒体が凹部に収納載置されることにより退出し、小形の記録媒体が凹部から取出されることにより進出する支持体の移動をセンサが検出するため、一つのコネクタを第１位置又は第２位置へ正確に移動させることができ、小形及び大形の記録媒体を間違えることなくコネクタに接続することができる。
【発明の効果】
【００１７】
本発明によれば、大形の記録媒体をトレイの載置面及び支持体により安定性よく支持することができ、小形の記録媒体をトレイの凹部に収納載置することができるため、いずれの記録媒体でも収まりを良くすることができ、また、視感をよくすることができ、高級感を得ることができる。
【００１８】
また、本発明によれば、大形の記録媒体をトレイの載置面及び支持体により安定性よく支持することができ、小形の記録媒体をトレイの凹部に収納載置することができるため、いずれの記録媒体でも収まりを良くすることができ、また、視感をよくすることができ、高級感を得ることができる。しかも、一つのコネクタに２種類の記録媒体を選択して接続することができ、全体を小形化、軽量化できる。
【００１９】
また、本発明によれば、小形の記録媒体を凹部に収納載置することにより支持体が退出移動し、しかも、支持体は付勢ばねにより付勢されているため、支持体を備える割に筺体を小形化、ひいては記録媒体受入装置をより一層小形化、軽量化できる。
【００２０】
また、本発明によれば、小形の記録媒体が凹部に収納載置されることにより退出位置へ移動し、小形の記録媒体が凹部から取出されることにより進出位置へ移動する支持体の移動をセンサが検出し、一つのコネクタを第１位置又は第２位置へ正確に移動させることができるため、小形及び大形の記録媒体を間違えることなくコネクタに接続することができる。
【発明を実施するための最良の形態】
【００２１】
以下本発明をその実施の形態を示す図面に基づいて詳述する。
実施の形態１
図１は本発明に係る記録媒体受入装置の実施の形態１の構成を示す概略斜視図、図２は記録媒体受入装置の構成を示す概略平面図、図３は記録媒体受入装置の構成を示す概略側面図、図４はトレイを抜出した状態の概略平面図、図５はトレイを抜出した状態の概略側面図である。
【００２２】
図に示した記録媒体受入装置は、リム−バブルハードディスクとしてのカセット状の２種類の記録媒体１ａ，１ｂが載置されるトレイ２と、該トレイ２を挿抜可能に挿入れる筺体３とを備えている。
【００２３】
記録媒体１ａ，１ｂは、その一側に接続端子１ｃを有する板状の直方体をなしており、平面視で幅が等しく、長さ及び厚さが相違している（図２６参照）。
【００２４】
筺体３は幅及び長さに比べて厚さを比較的薄くした扁平状の直方体をなしており、一側に挿抜口３１が設けられており、他側の内側の第１位置及び第２位置には記録媒体１ａ，１ｂの接続端子１ｃに接続される一対の第１のコネクタ４，４が筺体３の厚さ方向へ離隔して並置されており、その一端が第１のコネクタ４，４の夫々に接続され、その他端にコネクタを有するケーブル６が他側から外部へ延出されている。また、筺体３は合成樹脂材により成形されており、挿抜口３１から第１のコネクタ４，４の端子にかけてトレイ２を受入れる空洞を有しており、トレイ２が挿抜口３１から空洞に挿抜可能に挿入されている。
【００２５】
第１位置はトレイ２により受入れる大形の記録媒体１ａに応じた位置であり、第２位置は小形の記録媒体１ｂに応じた位置である。第１のコネクタ４，４は挿抜口３１と向合う側に端子を有する。
【００２６】
トレイ２は平面視で大形の記録媒体１ａに対応する大きさであり、正面視で挿抜口３１に対応する大きさの直方体をなしており、抜出し位置では挿抜口３１近傍に係止された状態で筺体３の外部へ突出し、受入位置では筺体３内に全体が収納されるように構成されている。このトレイ２は大形の記録媒体１ａの接続端子１ｃと反対側が載置される載置面２１と、該載置面２１の前記コネクタ４に臨む側が凹となり、小形の記録媒体１ｂが収納載置される凹部２２と、該凹部２２の両側に凹部２２に対して出退移動が可能に配置された一対の支持体７，７とを有する。また、トレイ２は上面及び背面が開放されており、上面開放部から記録媒体１ａ，１ｂを挿入離脱することができ、また、背面開放部に記録媒体１ａ，１ｂの接続端子１ｃが露出するようになっている。
【００２７】
載置面２１は大形の記録媒体１ａに対応する広さの半分以下の広さであり、且つ大形の記録媒体１ａ厚さに対応する深さを有しており、載置面２１を除いた部分が凹部２２になっている。この凹部２２は小形の記録媒体１ｂ，１ａに対応する広さであり、且つ小形の記録媒体１ｂの厚さに対応する深さを有する。
【００２８】
また、凹部２２の両側には、該凹部２２に沿って外部へ貫通する貫通孔２３，２３、及び夫々の貫通孔２３，２３から凹部２２の途中にかけて延出された係止溝２４，２４を有しており、夫々の貫通孔２３，２３に、凹部２２に進出した進出位置及び凹部２２から退出した退出位置へ移動可能とした支持体７，７が枢軸８，８により枢支されている。
【００２９】
支持体７，７は、一端が枢支され、係止溝２４，２４に挿入される凸部７ａ，７ａを他端に有し、凹部２２の深さと等しい厚さを有する板部材からなり、枢軸８，８周りに巻装された捩りばね（付勢ばね）により進出位置へ付勢されており、大形の記録媒体１ａの接続端子１ｃ側を支持し、また、小形の記録媒体１ｂが凹部２２に収納載置されるとき、該小形の記録媒体１ｂの接続端子１ｃ側が支持体７，７に当接し、該支持体７，７を退出位置へ移動させるように構成されている。
【００３０】
図６は大形の記録媒体１ａを載置したトレイを筺体に受入れた状態の概略平面図、図７は大形の記録媒体１ａを載置したトレイを筺体に受入れた状態の概略側面図、図８は大形の記録媒体１ａを載置したトレイを抜出した状態の概略平面図、図９は大形の記録媒体１ａを載置したトレイを抜出した状態の概略側面図である。
【００３１】
以上のように構成された記録媒体受入装置において、大形の記録媒体１ａが受入れられる場合、図８、図９に示すように抜出し位置へ移動したトレイ２の載置面２１に大形の記録媒体１ａを挿入載置する。このとき、支持体７，７は凹部２２と対向する進出位置に移動しているため、大形の記録媒体１ａのコネクタ側を支持体７，７が支持する。このように載置面２１に大形の記録媒体１ａを載置したトレイ２を図６、図７に示すように筺体内へ移動させることにより、大形の記録媒体１ａの一側に有する接続端子１ｃを第１のコネクタ４，４の一方に接続することができ、大形の記録媒体１ａを受入れることができる。また、トレイ２を抜出し位置へ退出移動させることにより、接続端子１ｃの第１のコネクタ４との接続を解除することができ、抜出し位置で大形の記録媒体１ａを載置面２１から取出すことができる。
【００３２】
図１０は小形の記録媒体を載置したトレイを筺体に受入れた状態の概略平面図、図１１は小形の記録媒体を載置したトレイを筺体に受入れた状態の概略側面図、図１２は小形の記録媒体を載置したトレイを抜出した状態の概略平面図、図１３は小形の記録媒体を載置したトレイを抜出した状態の概略側面図である。
【００３３】
小形の記録媒体１ｂが受入れられる場合、図１２、図１３に示すように筺体から抜出したトレイ２の凹部２２に小形の記録媒体１ｂを挿入載置する。このとき、小形の記録媒体１ｂの接続端子１ｃ側が支持体７，７に当接し、夫々の支持体７，７は貫通孔２３，２３内の退出位置へ移動する。このように凹部２２に小形の記録媒体１ｂを載置したトレイ２を図１０、図１１に示すように筺体３内へ移動させることにより、小形の記録媒体１ｂの一側に有する接続端子１ｃを第１のコネクタ４，４の他方に接続することができ、小形の記録媒体１ｂを受入れることができる。また、トレイ２を抜出し位置へ退出移動させることにより、接続端子１ｃの第１のコネクタ４との接続を解除することができ、抜出し位置で小形の記録媒体１ｂを凹部２２から取出すことができる。この小形の記録媒体１ｂの取出しにより支持体７，７は捩りばねの弾性復元力により進出位置へ移動する。
【００３４】
実施の形態２
図１４は記録媒体受入装置の実施の形態２の構成を示す概略平面図、図１５は記録媒体受入装置の構成を示す概略側面図、図１６はトレイを抜出した状態の概略平面図、図１７はトレイを抜出した状態の概略側面図である。
【００３５】
この記録媒体受入装置は、第１位置及び第２位置に並置された一対の第１のコネクタ４，４に代えて、一つの第２のコネクタ９を載置面２１に載置される大形の記録媒体１ａに応じた第１位置又は凹部２２に収納載置される小形の記録媒体１ｂに応じた第２位置に選択的に移動させることにより、小形及び大形の記録媒体１ａ，１ｂを一つの第２のコネクタ９に接続することができるようにしたものである。
【００３６】
具体的には、第１位置及び第２位置へ移動可能に配置された第２のコネクタ９と、該第２のコネクタ９を第１位置又は第２位置へ移動させる移動手段１０と、記録媒体１ａ，１ｂが載置面２１又は凹部２２のいずれに載置されるかの検出を行う検出手段としてのセンサ１１と、該センサ１１の検出結果に基づいて移動手段１０を動作させる制御部１２とを備える。
【００３７】
センサ１１は、一方の支持体７の退出位置の側方に配置されており、一方の支持体７が退出位置に移動したとき、及び一方の支持体７が退出位置から進出位置へ移動するときの支持体７の動作を検出する。換言すれば、支持体７が退出位置に移動したときは小形の記録媒体１ｂが凹部２２に収納載置されていることを検出し、捩りばねにより支持体７が進出位置へ移動するときは大形の記録媒体１ａが載置面２１に支持可能であることを検出する。
【００３８】
移動手段１０は、極小の電動モータ１０ａと、該電動モータ１０ａの出力軸及び第２のコネクタ９に連動連結され、第２のコネクタ９を第１位置又は第２位置へ移動させるボールねじ機構等の伝動機構１０ｂとを有しており、電動モータ１０ａが正回転することにより第２のコネクタ９を第１位置へ移動させ、電動モータ１０ａが逆回転することにより第２のコネクタ９を第２位置へ移動させるように構成されている。
【００３９】
制御部１２はマイクロプロセッサを用いてなり、該制御部１２の入力部にセンサ１１が接続され、出力部に電動モータ１０ａの駆動回路が接続されており、センサ１１が支持体７の退出移動を検出したとき、電動モータ１０ａを逆回転させる指示信号を前記駆動回路に出力し、センサ１１が支持体７の進出移動を検出したとき、電動モータ１０ａを正回転させる指示信号を前記駆動回路に出力するように構成されている。
【００４０】
図１８は大形の記録媒体を載置したトレイを筺体に受入れた状態の概略平面図、図１９は大形の記録媒体を載置したトレイを筺体に受入れた状態の概略側面図、図２０は大形の記録媒体を載置したトレイを抜出した状態の概略平面図、図２１は大形の記録媒体を載置したトレイを抜出した状態の概略側面図である。
【００４１】
以上のように構成された記録媒体受入装置において、大形の記録媒体１ａが受入れられる場合、図２０、図２１に示すように抜出したトレイ２の載置面２１に大形の記録媒体１ａを挿入支持する。このとき、支持体７，７は凹部２２と対向する進出位置に移動しているため、大形の記録媒体１ａの接続端子１ｃ側を支持体７，７が支持する。また、第２のコネクタ９は上述したように第１位置に移動している。従って、載置面２１に大形の記録媒体１ａを載置したトレイ２を図１８、図１９に示すように筺体３内へ移動させることにより、大形の記録媒体１ａの一側に有する接続端子１ｃを第２のコネクタ９に接続することができ、大形の記録媒体１ａを受入れることができる。また、トレイ２を抜出し位置へ移動させることにより、接続端子１ｃの第２のコネクタ９との接続を解除することができ、抜出し位置で大形の記録媒体１ａを載置面２１から取出すことができる。
【００４２】
図２２は小形の記録媒体を載置したトレイを筺体に受入れた状態の概略平面図、図２３は小形の記録媒体を載置したトレイを筺体に受入れた状態の概略側面図、図２４は小形の記録媒体を載置したトレイを抜出した状態の概略平面図、図２５は小形の記録媒体を載置したトレイを抜出した状態の概略側面図である。
【００４３】
小形の記録媒体１ｂを受入れる場合、図２４、図２５に示すように抜出したトレイ２の凹部２２に小形の記録媒体１ｂを挿入載置する。このとき、小形の記録媒体１ｂの接続端子１ｃ側が支持体７，７に当接し、夫々の支持体７，７は貫通孔２３，２３内の退出位置へ移動する。この支持体７，７の移動がセンサ１１により検出され、検出結果が制御部１２に入力され、制御部１２から電動モータ１０ａを逆回転させる指示信号が前記駆動回路に出力され、電動モータ１０ａが逆回転し、第２のコネクタ９は第２位置へ移動する。従って、凹部２２に小形の記録媒体１ｂを載置したトレイ２を図２２、図２３に示すように筺体３内へ移動させることにより、小形の記録媒体１ｂの一側に有する接続端子１ｃを第２のコネクタ９に接続することができ、小形の記録媒体１ｂを受入れることができる。また、トレイ２を抜出し位置へ移動させることにより、接続端子１ｃの第２のコネクタ９との接続を解除することができ、抜出し位置で小形の記録媒体１ｂを凹部２２から取出すことができる。
【００４４】
小形の記録媒体１ｂの取出しにより支持体７，７は捩りばねの力により進出位置へ移動し、この支持体７，７の移動がセンサ１１により検出され、検出結果が制御部１２に入力され、制御部１２から電動モータ１０ａを正回転させる指示信号が前記駆動回路に出力され、電動モータ１０ａが正回転し、第２のコネクタ９は第１位置へ移動する。
その他の構成及び作用は実施の形態１と同様であるため、同様の部品については同じ符号を付し、その詳細な説明及び作用効果の説明を省略する。
【００４５】
尚、以上説明した実施の形態では一対の支持体７，７を備える構成としたが、この支持体７，７は一つであってもよい。
【００４６】
また、以上説明した実施の形態では、小形の記録媒体１ｂ又は大形の記録媒体１ａを受入れるように構成したが、その他、凹部２２に小形の記録媒体１ｂを収納載置し、載置面２１に大形の記録媒体１ａを載置した状態で大形及び小形の記録媒体１ａ，１ｂを受入れるように構成してもよい。
【００４７】
また、本発明に係る記録媒体受入装置は単体として電子機器の外部装置とする他、電子機器の組込ユニットとして電子機器に組み込んでもよい。
【図面の簡単な説明】
【００４８】
【図１】本発明に係る記録媒体受入装置の実施の形態１の構成を示す概略斜視図である。
【図２】本発明に係る記録媒体受入装置の実施の形態１の構成を示す概略平面図である。
【図３】本発明に係る記録媒体受入装置の実施の形態１の構成を示す概略側面図である。
【図４】本発明に係る記録媒体受入装置の実施の形態１のトレイを抜出した状態の概略平面図である。
【図５】本発明に係る記録媒体受入装置の実施の形態１のトレイを抜出した状態の概略側面図である。
【図６】大形の記録媒体を載置したトレイを筺体に受入れた状態の概略平面図である。
【図７】大形の記録媒体を載置したトレイを筺体に受入れた状態の概略側面図である。
【図８】大形の記録媒体を載置したトレイを抜出した状態の概略平面図である。
【図９】大形の記録媒体を載置したトレイを抜出した状態の概略側面図である。
【図１０】小形の記録媒体を載置したトレイを筺体に受入れた状態の概略平面図である。
【図１１】小形の記録媒体を載置したトレイを筺体に受入れた状態の概略側面図である。
【図１２】小形の記録媒体を載置したトレイを抜出した状態の概略平面図である。
【図１３】小形の記録媒体を載置したトレイを抜出した状態の概略側面図である。
【図１４】本発明に係る記録媒体受入装置の実施の形態２の構成を示す概略平面図である。
【図１５】本発明に係る記録媒体受入装置の実施の形態２の構成を示す概略側面図である。
【図１６】本発明に係る記録媒体受入装置の実施の形態２のトレイを抜出した状態の概略平面図である。
【図１７】本発明に係る記録媒体受入装置の実施の形態２のトレイを抜出した状態の概略側面図である。
【図１８】大形の記録媒体を載置したトレイを筺体に受入れた状態の概略平面図である。
【図１９】大形の記録媒体を載置したトレイを筺体に受入れた状態の概略側面図である。
【図２０】大形の記録媒体を載置したトレイを抜出した状態の概略平面図である。
【図２１】大形の記録媒体を載置したトレイを抜出した状態の概略側面図である。
【図２２】小形の記録媒体を載置したトレイを筺体に受入れた状態の概略平面図である。
【図２３】小形の記録媒体を載置したトレイを筺体に受入れた状態の概略側面図である。
【図２４】小形の記録媒体を載置したトレイを抜出した状態の概略平面図である。
【図２５】小形の記録媒体を載置したトレイを抜出した状態の概略側面図である。
【図２６】記録媒体受入装置に用いられる記録媒体の構成を示しており、(a) は大形の記録媒体の正面図、(b) は大形の記録媒体の一部を破断した側面図、(c) は大形の記録媒体の底面図、(d) は小形の記録媒体の正面図、(e) は小形の記録媒体の一部を破断した側面図、(f) は小形の記録媒体の底面図である。
【符号の説明】
【００４９】
１ａ  大形の記録媒体
１ｂ  小形の記録媒体
２    トレイ
２１  載置面
２２  凹部
３    筺体
４    第１のコネクタ
７    支持体
９    第２のコネクタ
１０  移動手段
１１  センサ（検出手段）
【図１】
2006268973.tif 000003
【図２】
2006268973.tif 000004
【図３】
2006268973.tif 000005
【図４】
2006268973.tif 000006
【図５】
2006268973.tif 000007
【図６】
2006268973.tif 000008
【図７】
2006268973.tif 000009
【図８】
2006268973.tif 000010
【図９】
2006268973.tif 000011
【図１０】
2006268973.tif 000012
【図１１】
2006268973.tif 000013
【図１２】
2006268973.tif 000014
【図１３】
2006268973.tif 000015
【図１４】
2006268973.tif 000016
【図１５】
2006268973.tif 000017
【図１６】
2006268973.tif 000018
【図１７】
2006268973.tif 000019
【図１８】
2006268973.tif 000020
【図１９】
2006268973.tif 000021
【図２０】
2006268973.tif 000022
【図２１】
2006268973.tif 000023
【図２２】
2006268973.tif 000024
【図２３】
2006268973.tif 000025
【図２４】
2006268973.tif 000026
【図２５】
2006268973.tif 000027
【図２６】
2006268973.tif 000028